(57)【要約】【課題】現像剤保持体からの現像剤が良好に剥離されないことを原因とする画質の低下を抑制することができる画像形成装置及び現像装置を提供する。【解決手段】画像形成装置１０は、現像装置２００を有し、現像装置２００は、現像用磁極Ｓ１、離間用磁極Ｎ２、吸着用磁極Ｓ３、層厚規制用磁極Ｎ４を有する磁石部材２５２と、磁石部材２５２の回りを回転する現像スリーブ２６０とを有する。そして、吸着用磁極Ｓ３の位置に生成される磁力が、離間用磁極Ｎ２によるものよりも層厚規制用磁極Ｎ４によるものの方が大きく、離間用磁極Ｎ２の位置に生成される磁力が、吸着用磁極Ｓ３によるものよりも現像用磁極Ｓ１によるもの方が大きくなっている。【選択図】図３
2015079176.tif 000002
【特許請求の範囲】
【請求項１】
像を保持する像保持体と、
トナーとキャリアとが混合されてなる現像剤が収納された現像剤収納容器と、
前記現像剤収納容器に収納された現像剤中のトナーを前記像保持体へ移動させるトナー移動機構と、
を有し、
前記トナー移動機構は、
４個の磁極を備えた磁石部材と、
非磁性体から形成されていて、前記磁石部材の回りを回転し、現像剤を保持する現像剤保持体と、
を有し、
前記現像剤保持体が保持する現像剤の層厚を規制する層厚規制部材をさらに有し、
前記４個の磁極は、
前記像保持体が保持する潜像をトナーを用いて現像するための現像用磁極と、
前記現像剤保持体の回転方向において前記現像用磁極よりも下流側に位置していて、前記現像剤保持体の表面から現像剤を離間させるための離間用磁極と、
前記現像剤保持体の回転方向において前記離間用磁極よりも下流側に位置していて、前記現像剤保持体の表面に現像剤を吸着させるための吸着用磁極と、
前記現像剤保持体の回転方向において前記吸着用磁極よりも下流側に位置していて、前記現像剤保持体が保持する現像剤の層厚を前記層厚規制部材と協同して規制するための層厚規制用磁極と、
からなり、
前記吸着用磁極の位置に生成される磁力が、前記離間用磁極によるものよりも前記層厚規制用磁極によるものの方が大きく、
前記離間用磁極の位置に生成される磁力が、前記吸着用磁極によるものよりも前記現像用磁極によるもの方が大きい
画像形成装置。
【請求項２】
前記現像用磁極の磁力をＴ１、前記離間用磁極の磁力をＴ２、前記吸着用磁極の磁力をＴ３、層厚規制用磁極の磁力をＴ４とした場合に、
９０（ｍＴ）≦Ｔ１≦１３０（ｍＴ）
３０（ｍＴ）≦Ｔ２≦５０（ｍＴ）
２５（ｍＴ）≦Ｔ３＜５５（ｍＴ）
５５（ｍＴ）≦Ｔ４≦７５（ｍＴ）
であり、
前記離間用磁極から前記現像剤保持体の回転方向に前記吸着用磁極に至るまでの前記現像剤保持体の回転中心における角度をθ２とした場合に、
１５０度（ｄｅｇｒｅｅ）≦θ２
である請求項１記載の画像形成装置。
【請求項３】
Ｔ２+Ｔ３≦１００（ｍＴ）
である請求項２記載の画像形成装置。
【請求項４】
前記吸着用磁極から前記現像剤保持体の回転方向に前記層厚規制用磁極に至るまでの前記現像剤保持体の回転中心における角度をθ１とした場合に、
３０度（ｄｅｇｒｅｅ）≦θ１≦７０度（ｄｅｇｒｅｅ）
である請求項２又は３記載の画像形成装置。
【請求項５】
像を保持する像保持体と、
トナーとキャリアとが混合されてなる現像剤が収納された現像剤収納容器と、
前記現像剤収納容器に収納された現像剤中のトナーを前記像保持体へ移動させるトナー移動機構と、
を有し、
前記トナー移動機構は、
複数の磁極を備えた磁石部材と、
非磁性体から形成されていて、前記磁石部材の回りを回転し、現像剤を保持する現像剤保持体と、
を有し、
前記複数の磁極は、
現像剤を前記現像剤保持体から離間させるための離間用磁極と、
現像剤を前記現像剤保持体に吸着させるための吸着用磁極と、
を含み、
前記現像剤保持体の外周面であって、前記現像剤保持体の回転方向において前記離間用磁極よりも下流側且つ前記吸着用磁極よりも上流側の位置に、生成される磁力が前記現像剤保持体の表面に現像剤を吸着させるための磁力よりも弱い離間用領域が形成される画像形成装置。
【請求項６】
前記離間用領域における磁力が、前記現像剤保持体から離間した現像剤が前記現像剤保持体に再吸着する磁力よりも弱い請求項５記載の画像形成装置。
【請求項７】
前記離間用領域に生成される磁力が３ｍＴ未満である請求項５又は６記載の画像形成装置。
【請求項８】
トナーとキャリアとが混合されてなる現像剤が収納された現像剤収納容器と、
前記現像剤収納容器に収納された現像剤中のトナーを像保持体へ移動させるトナー移動機構と、
を有し、
前記トナー移動機構は、
４個の磁極を備えた磁石部材と、
非磁性体から形成されていて、前記磁石部材の回りを回転し、現像剤を保持する現像剤保持体と、
を有し、
前記現像剤保持体が保持する現像剤の層厚を規制する層厚規制部材をさらに有し、
前記４個の磁極は、
前記像保持体が保持する潜像をトナーを用いて現像するための現像用磁極と、
前記現像剤保持体の回転方向において前記現像用磁極よりも下流側に位置していて、前記現像剤保持体の表面から現像剤を離間させるための離間用磁極と、
前記現像剤保持体の回転方向において前記離間用磁極よりも下流側に位置していて、前記現像剤保持体の表面に現像剤を吸着させるための吸着用磁極と、
前記現像剤保持体の回転方向において前記吸着用磁極よりも下流側に位置していて、前記現像剤保持体が保持する現像剤の層厚を前記層厚規制部材と協同して規制するための層厚規制用磁極と、
からなり、
前記吸着用磁極の位置に生成される磁力が、前記離間用磁極によるものよりも前記層厚規用制極によるものの方が大きく、
前記離間用磁極の位置に生成される磁極が、前記吸着用磁極によるものよりも前記現像用磁極によるもの方が大きい
現像装置。
【請求項９】
トナーとキャリアとが混合されてなる現像剤が収納された現像剤収納容器と、
前記現像剤収納容器に収納された現像剤中のトナーを像保持体へ移動させるトナー移動機構と、
を有し、
前記トナー移動機構は、
複数の磁極を備えた磁石部材と、
非磁性体から形成されていて、前記磁石部材の回りを回転し、現像剤を保持する現像剤保持体と、
を有し、
前記複数の磁極は、
現像剤を前記現像剤保持体から離間させるための離間用磁極と、
現像剤を前記現像剤保持体に吸着させるための吸着用磁極と、
を含み、
前記現像剤保持体の外周面であって、前記現像剤保持体の回転方向において前記離間用磁極よりも下流側且つ前記吸着用磁極よりも上流側の位置に生成される磁力が、前記現像剤保持体の表面に現像剤を吸着させるための磁力よりも弱い離間用領域が形成される現像装置。
【発明の詳細な説明】
【技術分野】
【０００１】
本発明は、画像形成装置及び現像装置に関する。
【背景技術】
【０００２】
特許文献１には、内部に磁界発生手段を有し、トナーと磁性キャリアとを含む現像剤を担持して搬送するように表面移動する現像剤担持体と、該現像剤担持体に担持され現像領域に向けて搬送される該現像剤の量を規制する現像剤規制部材と、該現像剤規制部材で該現像領域に向けての搬送を規制された現像剤を収容する現像剤収容部と、該現像剤収容部に現像剤搬送方向上流側から隣接する位置で該現像剤担持体表面に臨むトナー補給用開口を有するトナー収容部とを備え、該現像剤担持体上での現像剤搬送に伴う現像剤の移動により、該現像剤担持体上の現像剤のトナー濃度に応じて該トナー収容部内のトナーを現像剤に取り込む現像装置において、該現像剤収容部内で該現像剤担持体の表面に非接触で対向し、該現像剤担持体に担持搬送されている現像剤の上層部を剥離する剥離部材を備えていることを特徴とする現像装置が記載されている。
【先行技術文献】
【特許文献】
【０００３】
【特許文献１】特開２００８−１０２５４４号公報
【発明の概要】
【発明が解決しようとする課題】
【０００４】
本発明は、現像剤保持体からの現像剤が良好に離間しないことを原因とする画質の低下を抑制することができる画像形成装置及び現像装置を提供することを目的とする。
【課題を解決するための手段】
【０００５】
請求項１に係る本発明は、像を保持する像保持体と、トナーとキャリアとが混合されてなる現像剤が収納された現像剤収納容器と、前記現像剤収納容器に収納された現像剤中のトナーを前記像保持体へ移動させるトナー移動機構と、を有し、前記トナー移動機構は、４個の磁極を備えた磁石部材と、非磁性体から形成されていて、前記磁石部材の回りを回転し、現像剤を保持する現像剤保持体と、を有し、前記現像剤保持体が保持する現像剤の層厚を規制する層厚規制部材をさらに有し、前記４個の磁極は、前記像保持体が保持する潜像をトナーを用いて現像するための現像用磁極と、前記現像剤保持体の回転方向において前記現像用磁極よりも下流側に位置していて、前記現像剤保持体の表面から現像剤を離間させるための離間用磁極と、前記現像剤保持体の回転方向において前記離間用磁極よりも下流側に位置していて、前記現像剤保持体の表面に現像剤を吸着させるための吸着用磁極と、前記現像剤保持体の回転方向において前記吸着用磁極よりも下流側に位置していて、前記現像剤保持体が保持する現像剤の層厚を前記層厚規制部材と協同して規制するための層厚規制用磁極と、からなり、前記吸着用磁極の位置に生成される磁力が、前記離間用磁極によるものよりも前記層厚規制用磁極によるものの方が大きく、前記離間用磁極の位置に生成される磁力が、前記吸着用磁極によるものよりも前記現像用磁極によるもの方が大きい画像形成装置である。
【０００６】
請求項２に係る本発明は、前記現像用磁極の磁力をＴ１、前記離間用磁極の磁力をＴ２、前記吸着用磁極の磁力をＴ３、層厚規制用磁極の磁力をＴ４とした場合に、
９０（ｍＴ）≦Ｔ１≦１３０（ｍＴ）
３０（ｍＴ）≦Ｔ２≦５０（ｍＴ）
２５（ｍＴ）≦Ｔ３＜５５（ｍＴ）
５５（ｍＴ）≦Ｔ４≦７５（ｍＴ）
であり、前記離間用磁極から前記現像剤保持体の回転方向に前記吸着用磁極に至るまでの前記現像剤保持体の回転中心における角度をθ２とした場合に、
１５０度（ｄｅｇｒｅｅ）≦θ２
である請求項１記載の画像形成装置である。
【０００７】
請求項３に係る本発明は、
Ｔ２+Ｔ３≦１００（ｍＴ）
である請求項２記載の画像形成装置である。
【０００８】
請求項４に係る本発明は、前記吸着用磁極から前記現像剤保持体の回転方向に前記層厚規制用磁極に至るまでの前記現像剤保持体の回転中心における角度をθ１とした場合に、
３０度（ｄｅｇｒｅｅ）≦θ１≦７０度（ｄｅｇｒｅｅ）
である請求項２又は３記載の画像形成装置である。
【０００９】
請求項５に係る本発明は、像を保持する像保持体と、トナーとキャリアとが混合されてなる現像剤が収納された現像剤収納容器と、前記現像剤収納容器に収納された現像剤中のトナーを前記像保持体へ移動させるトナー移動機構と、を有し、前記トナー移動機構は、複数の磁極を備えた磁石部材と、非磁性体から形成されていて、前記磁石部材の回りを回転し、現像剤を保持する現像剤保持体と、を有し、前記複数の磁極は、現像剤を前記現像剤保持体から離間させるための離間用磁極と、現像剤を前記現像剤保持体に吸着させるための吸着用磁極と、を含み、前記現像剤保持体の外周面であって、前記現像剤保持体の回転方向において前記離間用磁極よりも下流側且つ前記吸着用磁極よりも上流側の位置に、生成される磁力が前記現像剤保持体の表面に現像剤を吸着させるための磁力よりも弱い離間用領域が形成される画像形成装置である。
【００１０】
請求項６に係る本発明は、前記離間用領域における磁力が、前記現像剤保持体から離間した現像剤が前記現像剤保持体に再吸着する磁力よりも弱い請求項５記載の画像形成装置である。
【００１１】
請求項７に係る本発明は、前記離間用領域に生成される磁力が３ｍＴ未満である請求項５又は６記載の画像形成装置である。
【００１２】
請求項８に係る本発明は、トナーとキャリアとが混合されてなる現像剤が収納された現像剤収納容器と、前記現像剤収納容器に収納された現像剤中のトナーを像保持体へ移動させるトナー移動機構と、を有し、前記トナー移動機構は、４個の磁極を備えた磁石部材と、非磁性体から形成されていて、前記磁石部材の回りを回転し、現像剤を保持する現像剤保持体と、を有し、前記現像剤保持体が保持する現像剤の層厚を規制する層厚規制部材をさらに有し、前記４個の磁極は、前記像保持体が保持する潜像をトナーを用いて現像するための現像用磁極と、前記現像剤保持体の回転方向において前記現像用磁極よりも下流側に位置していて、前記現像剤保持体の表面から現像剤を離間させるための離間用磁極と、前記現像剤保持体の回転方向において前記離間用磁極よりも下流側に位置していて、前記現像剤保持体の表面に現像剤を吸着させるための吸着用磁極と、前記現像剤保持体の回転方向において前記吸着用磁極よりも下流側に位置していて、前記現像剤保持体が保持する現像剤の層厚を前記層厚規制部材と協同して規制するための層厚規制用磁極と、からなり、前記吸着用磁極の位置に生成される磁力が、前記離間用磁極によるものよりも前記層厚規用制極によるものの方が大きく、前記離間用磁極の位置に生成される磁極が、前記吸着用磁極によるものよりも前記現像用磁極によるもの方が大きい現像装置である。
【００１３】
請求項９に係る本発明は、トナーとキャリアとが混合されてなる現像剤が収納された現像剤収納容器と、前記現像剤収納容器に収納された現像剤中のトナーを像保持体へ移動させるトナー移動機構と、を有し、前記トナー移動機構は、複数の磁極を備えた磁石部材と、非磁性体から形成されていて、前記磁石部材の回りを回転し、現像剤を保持する現像剤保持体と、を有し、前記複数の磁極は、現像剤を前記現像剤保持体から離間させるための離間用磁極と、現像剤を前記現像剤保持体に吸着させるための吸着用磁極と、を含み、前記現像剤保持体の外周面であって、前記現像剤保持体の回転方向において前記離間用磁極よりも下流側且つ前記吸着用磁極よりも上流側の位置に生成される磁力が、前記現像剤保持体の表面に現像剤を吸着させるための磁力よりも弱い離間用領域が形成される現像装置である。
【発明の効果】
【００１４】
請求項１に係る本発明によれば、現像剤保持体からの現像剤が良好に離間しないことを原因とする画質の低下を抑制することができる画像形成装置を提供することができる。
【００１５】
請求項２に係る本発明によれば、本構成を有しない場合と比較して、現像剤保持体からの現像剤が良好に離間しないことを原因とする画質の低下を抑制することができる画像形成装置を提供することができる。
【００１６】
請求項３に係る本発明によれば、本構成を有しない場合と比較して、現像剤保持体からの現像剤が良好に離間しないことを原因とする画質の低下を抑制することができる画像形成装置を提供することができる。
【００１７】
請求項４に係る本発明によれば、本構成を有しない場合と比較して、現像剤保持体からの現像剤が良好に離間しないことを原因とする画質の低下を抑制することができる画像形成装置を提供することができる。
【００１８】
請求項５に係る本発明によれば、現像剤保持体からの現像剤が良好に離間しないことを原因とする画質の低下を抑制することができる画像形成装置を提供することができる。
【００１９】
請求項６に係る本発明によれば、本構成を有しない場合と比較して、現像剤保持体からの現像剤が良好に離間しないことを原因とする画質の低下を抑制することができる画像形成装置を提供することができる。
【００２０】
請求項７に係る本発明によれば、本構成を有しない場合と比較して、現像剤保持体からの現像剤が良好に離間しないことを原因とする画質の低下を抑制することができる画像形成装置を提供することができる。
【００２１】
請求項８に係る本発明によれば、現像剤保持体からの現像剤が良好に離間しないことを原因とする画質の低下を抑制することができる現像装置を提供することができる。
【００２２】
請求項９に係る本発明によれば、現像剤保持体からの現像剤が良好に離間しないことを原因とする画質の低下を抑制することができる現像装置を提供することができる。
【図面の簡単な説明】
【００２３】
【図１】本発明の実施形態に係る画像形成装置を示す図である。
【図２】図１に示す画像形成装置が有する現像装置を示す図である。
【図３】図２に示す現像装置が有する磁石部材における磁極の配置を説明する図である。
【図４】図２に示す現像装置が有する磁石部材において磁極の強さと配置とを変化させた場合に、現像剤保持体から現像剤が良好に離間するか否かと、離間した現像剤が現像剤保持体に再吸着するか否かとを示した図表である。
【発明を実施するための形態】
【００２４】
次に本発明の実施形態を図面に基づいて説明する。
図１には、本発明の実施形態に係る画像形成装置１０が示されている。図１に示されるように、画像形成装置１０は画像形成装置本体１２を有し、画像形成装置本体１２内に像形成部１００と、給紙装置３００とが設けられている。また、画像形成装置本体１２内には、記録媒体として用いられる用紙を搬送するための搬送路４００が形成されている。
【００２５】
画像形成装置本体１２には、用紙を排出するための排出口１４が形成されている。また、画像形成装置本体１２の上側の面は排出部１６として用いられている。排出部１６には、排出口１４を介して画像形成装置本体１２内から用紙が排出される。また、画像形成装置本体１２には、支持板１８が取り付けられている。
【００２６】
支持板１８は、排出部１６とともに画像形成装置本体１２内から排出された用紙を支持するための部材であり、画像形成装置本体１２に対してヒンジ２０を中心として回転するように移動することができるように取り付けられている。
【００２７】
像形成部１００は、例えば単色の画像を形成するものであり、電子写真方式が採用されている。また、像形成部１００は、像を保持する像保持体として用いられている感光体１０２と、感光体１０２を帯電する帯電装置１１０と、帯電装置１１０によって帯電された感光体１０２の表面に光を照射し、感光体１０２の表面に静電潜像を形成する潜像形成装置１２０と、感光体１０２に形成された潜像をトナーを含む現像剤を用いて現像し、感光体１０２の表面にトナー像を形成する現像装置２００と、現像装置２００によって感光体１０２の表面に形成されたトナー像を用紙に転写する転写装置１３０と、転写装置１３０によってトナー像が用紙に転写された後に感光体１０２を清掃する清掃装置１４０と、転写装置１３０によって用紙に転写されたトナー像を、その用紙に定着する定着装置１５０とを有する。
【００２８】
帯電装置１１０は帯電部材１１２を有する。帯電部材１１２は、例えばロール形状であり、感光体１０２に接触するように配置されているか感光体１０２に近接するように配置されていて、図示を省略する電源から直流の又は直流に交流が重畳された帯電電圧が印加され、感光体１０２を帯電させる。
【００２９】
現像装置２００は、少なくともトナーとキャリアとが混合されてなる現像剤を用いて潜像を現像する所謂二成分現像装置であり、例えば負極性に帯電する非磁性のトナーと正極性に帯電する磁性キャリアとが少なくとも混合されてなる現像剤が用いられる。また、現像装置２００は、現像剤が収納された現像剤収納容器として用いられている現像装置本体２０２と、現像装置本体２０２に取り付けられていて、現像装置本体２０２に収納されている現像剤中のトナーを感光体１０２に移動させる機構であるトナー移動機構２５０とを有する。現像装置２００の詳細は後述する。
【００３０】
転写装置１３０は、転写部材１３２を有する。転写部材１３２は、例えばロール形状であり、例えば感光体１０２に接触するように配置されていて、図示を省略する電源から転写のための電圧が印加される。
【００３１】
清掃装置１４０は、清掃部材１４２を有する。清掃部材１４２は、例えば板状の部材からなり、一端部が感光体１０２に対して押し付けられ、押し付けられた端部で感光体１０２の表面から現像剤等を除去し、感光体１０２を清掃する。
【００３２】
定着装置１５０は、内部に熱源を有する加熱ロール１５２と、加熱ロール１５２に接触する加圧ロール１５４とを有し、加熱ロール１５２と加圧ロール１５４との接触部で用紙に転写されたトナーを加熱し、加圧して、用紙にトナー像を定着させる。
【００３３】
給紙装置３００は、像形成部１００に向けて用紙を供給する。給紙装置３００は、用紙が積層された状態で収納されている用紙収納容器３０２と、用紙収納容器３０２から用紙を送り出す送り出しロール３０４とを有する。
【００３４】
搬送路４００は、給紙装置３００から転写装置１３０に向けて用紙を搬送し、転写装置１３０から定着装置１５０に向けて用紙を搬送し、画像形成装置本体１２内から排出するように用紙を搬送するための搬送路である。搬送路４００近傍には、搬送路４００に沿って用紙の搬送方向における上流側から順に、先述の送り出しロール３０４と、レジストロール４１０と、先述の転写装置１３０及び先述の感光体１０２と、先述の定着装置１５０と、排出ロール４２０とが配置されている。
【００３５】
レジストロール４１０は、感光体１０２と転写部材１３２とが接触する接触位置Ｎに向けて搬送される用紙の先端部の接触位置Ｎに向けての移動を一時的に停止させ、感光体１０２にトナーによる像が形成されるタイミングと合致するように、用紙の先端部の接触位置Ｎに向けての移動を再開させる。
【００３６】
図２には現像装置２００が示されている。現像装置２００は、先述のように現像装置本体２０２とトナー移動機構２５０とを有する。図２に示されているように、現像装置本体２０２は、下部本体部２０４と、下部本体部２０４に対して上方から蓋をするように装着された蓋部材２０６とを有する。また、現像装置本体２０２の例えば重力方向における上側の壁部には、現像装置本体２０２の外側と現像装置本体２０２の内側とを連通させるように開口部（不図示）が形成されている。この開口部は、トナー収容容器（不図示）に収容されたトナーを現像装置本体２０２内に補給するために用いられ、この開口部を介して落下するようにして、現像装置本体２０２内にトナーが補給される。
【００３７】
また、現像装置２００は、搬送部材２１０を有する。搬送部材２１０は、軸部２１２を中心に図２に示す矢印ａの方向に回転することで、羽根部２１４が現像装置本体２０２内に収納されている現像剤を現像装置本体２０２内で撹拌しつつ、現像装置本体２０２内を循環させるように搬送する。また、現像装置２００は、搬送部材２２０を有する。搬送部材２２０は、軸部２２２を中心に図２に示す矢印ｂの方向に回転することで、羽根部２２４が現像装置本体２０２内に収納された現像剤を搬送部材２１０と同様に現像装置本体２０２内で撹拌しつつ、現像装置本体２０２内を循環させるように搬送する。搬送部材２１０と搬送部材２２０とにより現像剤が撹拌されつつ搬送されることにより、現像剤中のトナーがキャリア等と擦れ合って、キャリア等との摩擦によりトナーが帯電される。
【００３８】
トナー移動機構２５０は、磁石部材２５２と、現像スリーブ２６０とを有する。現像スリーブ２６０は、非磁性体から形成されていて、磁石部材２５２の回りを回転し、外側の表面に現像剤を保持する現像剤保持体として用いられている。また、現像スリーブ２６０は例えば円筒形状であり、現像スリーブ２６０には、例えばギア列等から構成されている駆動伝達機構（不図示）を介して、モータ等の駆動源（不図示）が連結されている。そして、上述の駆動源から駆動が伝達されることで、現像スリーブ２６０は、回転中心Ｏを中心に、図２に矢印ｃで示す方向に回転する。
【００３９】
磁石部材２５２は、例えば円柱形状であり、磁石部材２５２の長手方向に延びる複数の磁極を備えている。より具体的には、磁石部材２５２は、現像用磁極Ｓ１、離間用磁極Ｎ２、吸着用磁極Ｓ３、層厚規制用磁極Ｎ４との４個の磁極を備えている。現像用磁極Ｓ１は、感光体１０２（図１を参照）が保持する静電潜像を現像剤中のトナーを用いて現像するために用いられている。
【００４０】
現像用磁極Ｓ１の磁力をＴ１とすると、Ｔ１は、９０（ｍＴ）以上、１３０（ｍＴ）以下の範囲内となっている。Ｔ１が９０（ｍＴ）未満であると、現像剤中のキャリアの現像スリーブに対する付着力が弱くなることで、トナーのみならずキャリアも感光体１０２側に移動する虞がある。また、Ｔ１を１３０（ｍＴ）よりも大きくしようとすると、磁石部材２５２の現像用磁極Ｓ１を形成する部分だけ磁石部材２５２の他の部分と異なる材料を用いたり、磁石部材２５２全体を強い磁力を実現させるための高コストの材料を用いて形成したりする必要が生じてしまう。
【００４１】
離間用磁極Ｎ２は、現像スリーブ２６０の回転方向において、現像用磁極Ｓ１よりも下流側に位置していて、現像スリーブ２６０の表面から現像剤を離間させるために用いられている。離間用磁極Ｎ２の磁力をＴ２とすると、Ｔ２は、３０（ｍＴ）以上、５０（ｍＴ）以下の範囲内となっている。Ｔ２が２０（ｍＴ）未満であると、現像スリーブ２６０に対する現像剤の吸着が維持されずに、現像用磁極Ｓ１の位置から離間用磁極Ｎ２の位置まで現像剤が良好に搬送されない虞がある。また、Ｔ２が５０（ｍＴ）よりも大きいと、現像スリーブ２６０の回転方向における離間用磁極Ｎ２よりも下流側の位置において、現像スリーブ２６０の表面から現像剤が良好に離間しなくなる虞がある。
【００４２】
吸着用磁極Ｓ３は、現像スリーブ２６０の回転方向において、離間用磁極Ｎ２よりも下流側に位置していて、現像スリーブ２６０の表面に現像剤を吸着させるために用いられている。吸着用磁極Ｓ３の磁力をＴ３とすると、Ｔ３は、２５（ｍＴ）以上であって、５５（ｍＴ）未満の範囲内となっている。Ｔ３が２５（ｍＴ）未満であると、現像スリーブ２６０の表面に十分に現像剤を吸着できない虞がある。また、また、Ｔ３が５５（ｍＴ）以上であると、現像スリーブ２６０の回転方向における吸着用磁極Ｓ３よりも上流側の位置において、現像スリーブ２６０の表面から現像剤が良好に離間しなくなる虞がある。
【００４３】
層厚規制用磁極Ｎ４は、現像スリーブ２６０の回転方向において、吸着用磁極Ｓ３よりも下流側に位置していて、現像スリーブ２６０が保持する現像剤の層厚を後述する層厚規制部材２４０と協同して規制するために用いられている。層厚規制用磁極Ｎ４の磁力をＴ４とすると、Ｔ４は、５５（ｍＴ）以上、７５（ｍＴ）以下の範囲内となっている。Ｔ４の範囲は、現像スリーブ２６０が表面に保持する現像剤の層厚を規制するために適した範囲として定められている。
【００４４】
また、現像装置２００は、現像スリーブ２６０が表面に保持する現像剤の層厚を規制する層厚規制部材２４０を有する。層厚規制部材２４０は、現像スリーブ２６０を介して層厚規制用磁極Ｎ４と対向する位置に、現像スリーブ２６０との間に隙間２４２を形成するように配置されている。このため、現像スリーブ２６０が保持する現像剤のうち、隙間２４２を通過できなかった現像剤が、現像スリーブ２６０が矢印ｃ方向に回転することに伴って現像スリーブ２６０の表面から剥離され、現像剤が剥離されることで現像スリーブ２６０が表面に保持している現像剤の層の厚さが規制される。
【００４５】
図３には、磁石部材２５２における現像用磁極Ｓ１、離間用磁極Ｎ２、吸着用磁極Ｓ３、層厚規制用磁極Ｎ４の配置等が説明されている。図３における二点鎖線は、磁石部材２５２における現像用磁極Ｓ１、離間用磁極Ｎ２、吸着用磁極Ｓ３、層厚規制用磁極Ｎ４による磁極プロファイルを示していて、磁力の大きさが一定の値となる位置を示している。
【００４６】
図３に示されているように、吸着用磁極Ｓ３から現像スリーブ２６０の回転方向（図３に示す矢印ｃ方向）に層厚規制用磁極Ｎ４に至るまでの現像スリーブ２６０の回転中心Ｏにおける角度をθ１とした場合に、θ１が３０度（ｄｅｇｒｅｅ）以上、７０度（ｄｅｇｒｅｅ）以下の範囲となるように吸着用磁極Ｓ３の位置と層厚規制用磁極Ｎ４の位置とが定められている。
【００４７】
また、図３に示されているように、離間用磁極Ｎ２から現像スリーブ２６０の回転方向に吸着用磁極Ｓ３に至るまでの現像スリーブ２６０の回転中心Ｏにおける角度をθ２とした場合に、θ２が１５０度（ｄｅｇｒｅｅ）以上となるように離間用磁極Ｎ２の位置と吸着用磁極Ｓ３の位置とが定められている。
【００４８】
また、この現像装置２００においては、現像用磁極Ｓ１の磁力Ｔ１、離間用磁極Ｎ２の磁力Ｔ２、吸着用磁極Ｓ３の磁力Ｔ３及び層厚規制用磁極Ｎ４の磁力Ｔ４の値の範囲を上述のように定めることに加えて、各磁極の配置に応じて、吸着用磁極Ｓ３の位置に生成される磁力が、離間用磁極Ｎ２によるものよりも層厚規制用磁極Ｎ４によるものの方が大きく、離間用磁極Ｎ２の位置に生成される磁力が、吸着用磁極Ｓ３によるものよりも現像用磁極Ｓ１によるもの方が大きくなるように、磁力Ｔ１、磁力Ｔ２、磁力Ｔ３及び磁力Ｔ４が定められている。
【００４９】
ここで、吸着用磁極Ｓ３の位置に生成される磁力が、離間用磁極Ｎ２によるものよりも層厚規制用磁極Ｎ４によるものの方が大きくなるように各磁極の磁力が定められているため、吸着用磁極Ｓ３の回り形成される磁界が層厚規制用磁極Ｎ４の側に引き寄せられ、離間用磁極Ｎ２の側へ張り出しにくくなる。また、離間用磁極Ｎ２の位置に生成される磁力が、吸着用磁極Ｓ３によるものよりも現像用磁極Ｓ１によるもの方が大きくなるように各磁極の磁力が定められているため、離間用磁極Ｎ２の回りに形成される磁界が現像用磁極Ｓ１の側に引き寄せられ、吸着用磁極Ｓ３の側に張り出しにくくなる。
【００５０】
また、この現像装置２００においては、離間用磁極Ｎ２の磁力Ｔ２と値と吸着用磁極Ｓ３の磁力Ｔ３の値の合計が、１００（ｍＴ）以下となるように磁力Ｔ２と磁力Ｔ３とを定めている。
【００５１】
以上のように各磁極の磁力と配置とが定められているため、現像装置２００においては、現像スリーブ２６０の外周面であって、現像スリーブ２６０の回転方向において離間用磁極Ｎ２よりも下流側且つ吸着用磁極Ｓ３よりも上流側の位置に、生成される磁力が現像スリーブ２６０の表面に現像剤を吸着させるための磁力よりも弱い離間用領域Ｅが形成される。そして、現像装置２００においては、離間用領域Ｅ内のいずれかの位置において、現像スリーブ２６０の表面から滑り落ちるように、現像スリーブ２６０から現像剤が離間する。このため、現像スリーブ２６０の表面からの現像剤が良好に離間しないことを原因とする画質の低下が抑制される。
【００５２】
また、離間用領域Ｅに生成される磁力は、現像スリーブ２６０から離間した現像剤が現像スリーブ２６０に再吸着する磁力より弱くなっている。このため、現像スリーブ２６０から離間した現像剤が、離間用領域Ｅにおいて再び現像スリーブ２６０に吸着される虞が低く、現像スリーブ２６０の表面に、離間した現像剤が再び吸着されることを原因とする画質の低下が抑制される。
【００５３】
各磁極により離間用領域Ｅの生成される磁力の具体的な値は、３（ｍＴ）未満となっている。
【００５４】
図４は、磁石部材２５２において、各磁極の強さと配置とを変化させた場合に、現像スリーブ２６０から現像剤が良好に離間するか否かと、離間した現像剤が現像スリーブ２６０に再吸着するか否かとを実験した結果を示す図表である。より具体的には、図４は、磁石部材２５２において、吸着用磁極Ｓ３の磁力（磁力Ｔ３）と、離間用磁極Ｎ２の磁力（磁力Ｔ２）と、離間用磁極Ｎ２から現像スリーブ２６０の回転方向に吸着用磁極Ｓ３に至るまでの現像スリーブ２６０の回転中心Ｏにおける角度（角度θ２）とを変化させた場合に、現像スリーブ２６０から現像剤が良好に離間するか否かと、離間した現像剤が現像スリーブ２６０に再吸着するか否かとを実験した結果を示す図表である。
【００５５】
図４における「○」は、現像スリーブ２６０の表面から現像剤が良好に離間し且つ離間した現像剤が現像スリーブ２６０の表面に再吸着しなかったことを示している。また、図４における「△」は、現像スリーブ２６０に表面から現像剤が離間したものの、離間した現像剤の一部が現像スリーブ２６０の表面に再吸着したことを示している。また、図４における「×」は、現像スリーブ２６０に表面から現像剤が良好に離間しなかったこと、すなわち現像スリーブ２６０の表面に現像剤が残留したことを示している。
【００５６】
図４に示すように、吸着用磁極Ｓ３の磁力（磁力Ｔ３）を２５（ｍＴ）とし、離間用磁極Ｎ２の磁力（磁力Ｔ２）を３５（ｍＴ）とした場合は、角度θ２を１５０度（ｄｅｇｒｅｅ）とした場合、角度θ２を１６０度（ｄｅｇｒｅｅ）とした場合、角度θ２を１７０度（ｄｅｇｒｅｅ）とした場合のいずれの場合であっても、現像スリーブ２６０の表面から現像剤が良好に離間し、現像スリーブ２６０の表面に現像剤が再付着しなかった。
【００５７】
また、図４に示すように、吸着用磁極Ｓ３の磁力（磁力Ｔ３）を３０（ｍＴ）とし、離間用磁極Ｎ２の磁力（磁力Ｔ２）を３０（ｍＴ）とした場合は、角度θ２を１５０度（ｄｅｇｒｅｅ）とした場合、角度θ２を１６０度（ｄｅｇｒｅｅ）とした場合、角度θ２を１７０度（ｄｅｇｒｅｅ）とした場合のいずれの場合であっても、現像スリーブ２６０の表面から現像剤が良好に離間し、現像スリーブ２６０の表面に現像剤が再付着しなかった。
【００５８】
また、図４に示すように、吸着用磁極Ｓ３の磁力（磁力Ｔ３）を５５（ｍＴ）とし、離間用磁極Ｎ２の磁力（磁力Ｔ２）を３５（ｍＴ）とした場合は、角度θ２を１５０度（ｄｅｇｒｅｅ）とした場合は、現像スリーブ２６０の表面から現像剤が良好に離間しなかったものの、角度θ２を１６０度（ｄｅｇｒｅｅ）とした場合と角度θ２を１７０度（ｄｅｇｒｅｅ）とした場合は現像スリーブ２６０の表面から現像剤が良好に離間し、現像スリーブ２６０の表面に現像剤が再付着しなかった。
【００５９】
また、図４に示すように、吸着用磁極Ｓ３の磁力（磁力Ｔ３）を４０（ｍＴ）とし、離間用磁極Ｎ２の磁力（磁力Ｔ２）を６５（ｍＴ）とした場合は、角度θ２を１５０度（ｄｅｇｒｅｅ）とした場合は、現像スリーブ２６０の表面から現像剤が良好に離間しなかった。また、角度θ２を１６０度（ｄｅｇｒｅｅ）とした場合と角度θ２を１７０度（ｄｅｇｒｅｅ）とした場合は、離間した現像剤が再び現像スリーブ２６０の表面に付着した。
【００６０】
また、図４に示すように、吸着用磁極Ｓ３の磁力（磁力Ｔ３）を５５（ｍＴ）とし、離間用磁極Ｎ２の磁力（磁力Ｔ２）を５０（ｍＴ）とした場合は、角度θ２を１５０度（ｄｅｇｒｅｅ）とした場合と角度θ２を１６０度（ｄｅｇｒｅｅ）とした場合とは、現像スリーブ２６０の表面から現像剤が良好に離間しなかった。また、角度θ２を１７０度（ｄｅｇｒｅｅ）とした場合は、離間した現像剤が再び現像スリーブ２６０の表面に付着した。
【００６１】
以上で説明をした実施形態においては、像形成部１００が単色の画像を形成する画像形成装置１０を例として示したが、像形成部１００が多色の画像形成する画像形成装置に対しても本発明を適用することができる。
【産業上の利用可能性】
【００６２】
以上述べたように、本発明は、少なくとも、例えばプリンタ、ファクシミリ、複写機等の画像形成装置と、例えばこのような画像形成装置に用いられる現像装置とに適用することができる。
【符号の説明】
【００６３】
１０・・・画像形成装置
１０２・・・感光体
２００・・・現像装置
２４０・・・層厚規制部材
２５０・・・トナー移動機構
２５２・・・磁石部材
２６０・・・現像スリーブ
Ｅ・・・離間用領域
Ｓ１・・・現像用磁極
Ｎ２・・・離間用磁極
Ｓ３・・・吸着用磁極
Ｎ４・・・層厚規制用磁極
Ｏ・・・回転中心
【図１】
2015079176.tif 000003
【図２】
2015079176.tif 000004
【図３】
2015079176.tif 000005
【図４】
2015079176.tif 000006